(57)【特許請求の範囲】
【請求項１】
ＣＡＴＶ（ケーブルテレビジョン）局からの下り信号が入力されるケーブル回線用端子と、
前記下り信号を遮断するとともに前記ＣＡＴＶ局への上り信号を入力して所定の周波数帯域外の成分を減衰させ、前記減衰後の前記上り信号を前記ケーブル回線用端子へ出力するローパスフィルタと、
前記減衰後の上り信号を遮断するとともに前記ＣＡＴＶ局からの下り信号を入力して所定の周波数帯域外の成分を減衰させるハイパスフィルタと、
前記ハイパスフィルタの出力を分配する第１の分配手段と、
前記第１の分配手段によって分配された一方の出力信号のレベルを調整する第１のＡＧＣ回路と、
前記第１の分配手段によって分配された他方の出力信号のレベルを調整する第２のＡＧＣ回路と、
前記第１のＡＧＣ回路の出力を一定の利得で増幅し、ＣＡＴＶ信号として導出する第１の増幅手段と、
前記第２のＡＧＣ回路の出力を一定の利得で増幅する第２の増幅手段と、
前記第２の増幅手段の出力を分配し、一方をデータ出力として導出する第２の分配手段と、
前記第２の分配手段の他方の分配出力をさらに分配してＶＴＲ信号とＦＭ／ＰＣＭチューナ信号として導出する第３の分配手段と、
前記ローパスフィルタと、ハイパスフィルタと、前記第１のＡＧＣ回路と、前記第２のＡＧＣ回路と、前記第１の増幅手段と、前記第２の増幅手段と、前記第１〜第３の分配手段とが少なくとも搭載される基板と、
前記基板が収納される箱型シャーシと、
前記箱型シャーシの開口部を遮蔽する蓋部材とを備え、
前記第１のＡＧＣ回路は、外部から入力されるＡＧＣコントロール信号に基づいて、前記第１の増幅手段が飽和しないように前記第１の分配手段によって分配された前記一方の出力信号のレベルを調整し、
前記第２のＡＧＣ回路は、外部から入力されるＡＧＣコントロール信号に基づいて、前記第２の増幅手段が飽和しないように前記第１の分配手段によって分配された前記他方の
出力信号のレベルを調整し、
前記ケーブル回線用端子と、前記ＦＭ／ＰＣＭチューナ信号の出力端子と、前記ＶＴＲ信号の出力端子とが前記箱型シャーシの上面に取付けられ、かつ前記各端子間の距離のうち、前記ケーブル回線用端子および前記ＶＴＲ信号の出力端子間の距離が最大となるように取り付けられ、
前記ＣＡＴＶ局への上り信号が入力される入力端子と、前記ＣＡＴＶ信号の出力端子と、前記データ出力の出力端子とが前記箱型シャーシの側面に設けられ、前記ＣＡＴＶ局への上り信号が入力される入力端子は前記ケーブル回線用端子に近い側面に設けられ、前記ＣＡＴＶ局への上り信号が入力される入力端子が設けられる側面と向かい合う側面に前記ＣＡＴＶ信号の出力端子および前記データ出力の出力端子が設けられるＣＡＴＶ用チューナの分配モジュール。
【請求項２】
ＣＡＴＶ（ケーブルテレビジョン）局からの下り信号が入力されるケーブル回線用端子と、
前記下り信号を遮断するとともに前記ＣＡＴＶ局への上り信号を入力して所定の周波数帯域外の成分を減衰させ、前記減衰後の前記上り信号を前記ケーブル回線用端子へ出力するローパスフィルタと、
前記減衰後の上り信号を遮断するとともに前記ＣＡＴＶ局からの下り信号を入力して所定の周波数帯域外の成分を減衰させるハイパスフィルタと、
前記ハイパスフィルタの出力信号のレベルを調整するＡＧＣ回路と、
前記ＡＧＣ回路の出力を一定の利得で増幅する増幅手段と、
前記増幅手段の出力を分配し、一方の分配出力をＣＡＴＶ信号として出力する第１の分配手段と、
前記第１の分配手段の他方の分配出力を分配し、一方の分配出力をデータ出力として導出する第２の分配手段と、
前記第２の分配手段の他方の分配出力をさらに分配してＶＴＲ信号とＦＭ／ＰＣＭチューナ信号として導出する第３の分配手段と、
前記ローパスフィルタと、ハイパスフィルタと、前記ＡＧＣ回路と、前記増幅手段と、前記第１〜第３の分配手段とが少なくとも搭載される基板と、
前記基板が収納される箱型シャーシと、
前記箱型シャーシの開口部を遮蔽する蓋部材とを備え、
前記ＡＧＣ回路は、外部から入力されるＡＧＣコントロール信号に基づいて、前記増幅手段が飽和しないように前記ハイパスフィルタの出力信号のレベルを調整し、
前記ケーブル回線用端子と、前記ＦＭ／ＰＣＭチューナ信号の出力端子と、前記ＶＴＲ信号の出力端子とが前記箱型シャーシの上面に取付けられ、かつ前記各端子間の距離のうち、前記ケーブル回線用端子および前記ＶＴＲ信号の出力端子間の距離が最大となるように取り付けられ、
前記ＣＡＴＶ局への上り信号が入力される入力端子と、前記ＣＡＴＶ信号の出力端子と、前記データ出力の出力端子とが前記箱型シャーシの側面に設けられ、前記ＣＡＴＶ局への上り信号が入力される入力端子は前記ケーブル回線用端子に近い側面に設けられ、前記ＣＡＴＶ局への上り信号が入力される入力端子が設けられる側面と向かい合う側面に前記ＣＡＴＶ信号の出力端子および前記データ出力の出力端子が設けられるＣＡＴＶ用チューナの分配モジュール。
【請求項３】
さらに、前記第２の分配手段の他方の分配出力に接続されるバンドパスフィルタと、
前記バンドパスフィルタの出力を増幅して前記第３の分配手段に与える増幅手段とを含むことを特徴とする、請求項１または２に記載のＣＡＴＶ用チューナの分配モジュール。
【発明の詳細な説明】
【０００１】
【発明の属する技術分野】
この発明はケーブルテレビジョン（以下、ＣＡＴＶと称する）分配モジュールに関し、ＣＡＴＶ用のチャネルとは別の周波数帯域を利用して家庭で高速データ通信を行なうデジタルセットボックス（以下、ＳＴＢと称する）に用いられるＣＡＴＶ用チューナにおいて、入力信号からＣＡＴＶ出力とデータ出力とＶＴＲ出力などを分配して出力する分配モジュールに関する。
【０００２】
【従来の技術】
ＣＡＴＶでは家庭への引込線を同軸ケーブルのままにしておき、幹線ネットワークを光ファイバ化したＨＦＣ（Hybrid Fiber／Coax）の導入が進められている。家庭に数Ｍビット／秒の広帯域データ通信サービスを提供しようとしているためで、もはや先端技術ではない６４０ＱＡＭ（Quadrature Amplitude Modulation：直交振幅変調）でも、帯域幅が６ＭＨｚで転送速度３０Ｍビット／秒の高速データラインを作ることができる。
【０００３】
ＣＡＴＶには、ＣＡＴＶ局側から送られてくる下りのデータ信号をテレビジョンモニタに表示するケーブルモデムと、ＣＡＴＶ局側から送られてくるＱＰＳＫ（Quadrature Phase Shift Keying：直交位相偏位変調）された下りのデータ信号をチューナ部から分岐し、ＣＰＵで処理してパーソナルコンピュータに出力できるようにしたＳＴＢとがある。
【０００４】
ＳＴＢには、一般的に信号分配回路とチューナ部とデスクランブル回路と復調回路とＡＶ（Audio／Video）回路およびその切換回路とＣＰＵ回路およびその周辺装置とＲＦ変調回路と電源回路と表示装置などから構成されている。
【０００５】
図５は従来のＳＴＢの信号分配モジュールを示すブロック図である。この図５に示す分配モジュールは、入力ポートと、チューナーのＣＡＴＶ出力ポートと、ＦＳＫ（Frequency Shift Keying）出力ポートと、ＦＭ／ＰＣＭチューナ出力ポートと、ＵＨＦ／ＶＨＦ出力ポートと、ＵＨＦ入力ポートとを有している。ただし、この図５に示した信号分配モジュールは、アナログ信号を受信するためのＳＴＢにおけるものであり、デジタル信号とアナログ信号とを受信するＳＴＢ用とは機能が異なっている。
【０００６】
図５において、入力端子１に入力された信号は分配器２に与えられてスルー出力と分岐出力が導出される。スルー出力はそのままＣＡＴＶ出力として出力端子１０から導出される。一方、分岐出力はアッテネータ３に入力され、その信号レベルが強いときに後段の広帯域増幅器４，５の飽和を避けるためにレベル調整が行なわれる。アッテネータ３は０〜−２０ｄＢの可変範囲を有しており、加入者宅によっては８５ｄＢｕＶ以上の強入力においてもビート障害や混変調歪を避けるために、ＳＴＢを設置する際にアッテネータ３によって予めレベル設定が行なわれる。
【０００７】
アッテネータ３でレベル調整された信号は広帯域増幅器４，５で増幅され、分配器６によって２分配される。分配された一方の信号はＦＭ／ＰＣＭチューナ出力として出力端子１２に出力される。分配された他方の信号はローパスフィルタ（ＬＰＦ）７を通過し、入力端子１４に入力されたＵＨＦ信号がハイパスフィルタ（ＨＰＦ）８を通過し、ＬＰＦ７の出力と合成され、ＵＨＦ／ＶＨＦ出力として出力端子１３から出力される。ここで、ＬＰＦ７とＨＰＦ８は分波器（デュプレクサ）としての機能を有している。
【０００８】
次に、ＳＴＢとＣＡＴＶ局であるセンターとの通信においてダウンストリーム信号が送られるが、この信号を抽出するために、分岐器２のスルー出力がバンドパスフィルタ（ＢＰＦ）９に与えられ、ダウンストリーム信号としてＦＳＫ出力が出力端子１１から導出される。このＦＳＫ信号としては、７０〜７５ＭＨｚまたは７０〜１３０ＭＨｚの周波数帯域が用いられている。
【０００９】
【発明が解決しようとする課題】
図５に示した従来の分配モジュールはアナログＳＴＢに適用されるものであり、ＣＡＴＶ信号を可能な限り低損失で伝送させる必要がある。これに対して、デジタルＳＴＢでは、映像信号およびデータ信号を低損失で伝送し、後段に接続されるアナログ／デジタルチューナおよびOut of Bandの受信用チューナに与える必要がある。さらに、伝送域におけるＮＦ（Noise Figure）を改善する必要もある。
【００１０】
また、従来は図５に示した分配モジュールの出力に接続されるチューナ側においてＡＧＣ制御を行なっており、入力レベルが８５ｄＢｕＶ以上の高いレベルになると、広帯域増幅器４，５で飽和現象が生じるため、マニュアルにてゲインを制御する必要があった。
【００１１】
さらに分配モジュールからＣＡＴＶ局への上り信号は、入力端子１において１２０ｄＢｕＶのレベルが必要とされるが、従来の分配モジュールではこれに対応できていなかった。
【００１２】
それゆえに、この発明の主たる目的は、デジタルＳＴＢ用としてすべての機能を満足し、効率的に信号を伝送でき、低ＮＦ，低損失で上り信号を入力端子に結合できるようなＣＡＴＶ用チューナの分配モジュールを提供することである。
【００１３】
【課題を解決するための手段】
上記課題を解決するために、この発明にある局面に係わるＣＡＴＶ用チューナの分配モジュールは、ＣＡＴＶ（ケーブルテレビジョン）局からの下り信号が入力されるケーブル回線用端子と、下り信号を遮断するとともにＣＡＴＶ局への上り信号を入力して所定の周波数帯域外の成分を減衰させ、減衰後の上り信号をケーブル回線用端子へ出力するローパスフィルタと、減衰後の上り信号を遮断するとともにＣＡＴＶ局からの下り信号を入力して所定の周波数帯域外の成分を減衰させるハイパスフィルタと、ハイパスフィルタの出力を分配する第１の分配手段と、第１の分配手段によって分配された一方の出力信号のレベルを調整する第１のＡＧＣ回路と、第１の分配手段によって分配された他方の出力信号のレベルを調整する第２のＡＧＣ回路と、第１のＡＧＣ回路の出力を一定の利得で増幅し、ＣＡＴＶ信号として導出する第１の増幅手段と、第２のＡＧＣ回路の出力を一定の利得で増幅する第２の増幅手段と、第２の増幅手段の出力を分配し、一方をデータ出力として導出する第２の分配手段と、第２の分配手段の他方の分配出力をさらに分配してＶＴＲ信号とＦＭ／ＰＣＭチューナ信号として導出する第３の分配手段と、ローパスフィルタと、ハイパスフィルタと、第１のＡＧＣ回路と、第２のＡＧＣ回路と、第１の増幅手段と、第２の増幅手段と、第１〜第３の分配手段とが少なくとも搭載される基板と、基板が収納される箱型シャーシと、箱型シャーシの開口部を遮蔽する蓋部材とを備え、第１のＡＧＣ回路は、外部から入力されるＡＧＣコントロール信号に基づいて、第１の増幅手段が飽和しないように第１の分配手段によって分配された一方の出力信号のレベルを調整し、第２のＡＧＣ回路は、外部から入力されるＡＧＣコントロール信号に基づいて、第２の増幅手段が飽和しないように第１の分配手段によって分配された他方の出力信号のレベルを調整し、ケーブル回線用端子と、ＦＭ／ＰＣＭチューナ信号の出力端子と、ＶＴＲ信号の出力端子とが箱型シャーシの上面に取付けられ、かつ各端子間の距離のうち、ケーブル回線用端子およびＶＴＲ信号の出力端子間の距離が最大となるように取り付けられ、ＣＡＴＶ局への上り信号が入力される入力端子と、ＣＡＴＶ信号の出力端子と、データ出力の出力端子とが箱型シャーシの側面に設けられ、ＣＡＴＶ局への上り信号が入力される入力端子はケーブル回線用端子に近い側面に設けられ、ＣＡＴＶ局への上り信号が入力される入力端子が設けられる側面と向かい合う側面にＣＡＴＶ信号の出力端子およびデータ出力の出力端子が設けられる。
【００１４】
したがって、この発明では、デジタルＳＴＢ用として、ＣＡＴＶ信号，データ出力，ＶＴＲ信号出力，ＦＭ／ＰＣＭチューナ信号出力のすべての機能を満足することができ、ＡＧＣ回路を備えているため強入力レベルにも対応することができ、低損失で上り信号を入力端子に結合することができる。
【００１５】
またこの発明のさらに別の局面に係わるＣＡＴＶ用チューナの分配モジュールは、ＣＡＴＶ（ケーブルテレビジョン）局からの下り信号が入力されるケーブル回線用端子と、下り信号を遮断するとともにＣＡＴＶ局への上り信号を入力して所定の周波数帯域外の成分を減衰させ、減衰後の上り信号をケーブル回線用端子へ出力するローパスフィルタと、減衰後の上り信号を遮断するとともにＣＡＴＶ局からの下り信号を入力して所定の周波数帯域外の成分を減衰させるハイパスフィルタと、ハイパスフィルタの出力信号のレベルを調整するＡＧＣ回路と、ＡＧＣ回路の出力を一定の利得で増幅する増幅手段と、増幅手段の出力を分配し、一方の分配出力をＣＡＴＶ信号として出力する第１の分配手段と、第１の分配手段の他方の分配出力を分配し、一方の分配出力をデータ出力として導出する第２の分配手段と、第２の分配手段の他方の分配出力をさらに分配してＶＴＲ信号とＦＭ／ＰＣＭチューナ信号として導出する第３の分配手段と、ローパスフィルタと、ハイパスフィルタと、ＡＧＣ回路と、増幅手段と、第１〜第３の分配手段とが少なくとも搭載される基板と、基板が収納される箱型シャーシと、箱型シャーシの開口部を遮蔽する蓋部材とを備え、ＡＧＣ回路は、外部から入力されるＡＧＣコントロール信号に基づいて、増幅手段が飽和しないようにハイパスフィルタの出力信号のレベルを調整し、ケーブル回線用端子と、ＦＭ／ＰＣＭチューナ信号の出力端子と、ＶＴＲ信号の出力端子とが箱型シャーシの上面に取付けられ、かつ各端子間の距離のうち、ケーブル回線用端子およびＶＴＲ信号の出力端子間の距離が最大となるように取り付けられ、ＣＡＴＶ局への上り信号が入力される入力端子と、ＣＡＴＶ信号の出力端子と、データ出力の出力端子とが箱型シャーシの側面に設けられ、ＣＡＴＶ局への上り信号が入力される入力端子はケーブル回線用端子に近い側面に設けられ、ＣＡＴＶ局への上り信号が入力される入力端子が設けられる側面と向かい合う側面にＣＡＴＶ信号の出力端子およびデータ出力の出力端子が設けられる。
【００１６】
好ましくは、さらに、第２の分配手段の他方の分配出力に接続されるバンドパスフィルタと、バンドパスフィルタの出力を増幅して第３の分配手段に与える増幅手段とを含む。
【００１９】
【発明の実施の形態】
図１はこの発明の一実施形態を示すブロック図である。図１において、入力端子２１には、図示しないケーブル回線が接続されており、上り信号が５〜５５ＭＨｚ，下り信号が７０〜１７０ＭＨｚで運用されるＣＡＴＶ信号が与えられる。一方、ＣＡＴＶ局への上り信号であるアップストリーム信号は入力端子２２に与えられる。
【００２０】
入力端子２１に入力されたＣＡＴＶ局からのＣＡＴＶ信号はハイパスフィルタ（ＨＰＦ）２３を通過して分配器２５に与えられ、ビデオストリーム回路とダウンストリーム回路側に分配される。なお、ＨＰＦ２３はローパスフィルタ（ＬＰＦ）２４とともにデュプレクサを構成している。分配器２５で分配されたビデオストリーム側の信号はＰＩＮアッテネータからなるＡＧＣ回路２６に与えられる。ＡＧＣ回路２６はＡＣＧコントロール信号に基づいて強入力のＣＡＴＶが入力されたときにそのレベルを調整する。
【００２１】
ＡＧＣ回路２６でレベル調整された信号は広帯域増幅器２７で増幅され、固定減衰器２８で一定レベルに設定されてＣＡＴＶ信号として出力端子端子４１から出力される。一方、分配されたダウンストリーム側の信号もＡＧＣ回路２９でレベル調整され、広帯域増幅器３０で増幅された後、分配器３１でさらに２分配される。分配された一方の信号は、固定減衰器３２で一定のレベルに設定され、データ出力として出力端子４２から出力される。
【００２２】
分配器３１で分配された他方の信号は７０〜２２０ＭＨｚの信号を抽出するＢＰＦ３３を介して広帯域増幅器３４に与えられて増幅され、さらに分配器３５で２分配される。分配器３５で分配された一方の出力は固定減衰器３６によって一定のレベルに設定されて、ＶＴＲ出力として出力端子４３から出力される。分配された他方の出力は固定減衰器３７で一定のレベルに設定され、ＦＭ／ＰＣＭチューナ出力として出力端子４４から出力される。
【００２３】
一方、入力端子２２にはアップストリーム信号が入力され、このアップストリーム信号はＬＰＦ３８によって通過帯域５〜４２ＭＨｚの信号成分のみが通されてリターンパス増幅器３９に与えられる。リターンパス増幅器３９には制御端子４０を介してデジタルのゲインコントロール信号が与えられており、リターンパス増幅器３９はこのゲインコントロール信号に基づいて１ｄＢステップにて５０ｄＢ以上の制御範囲を有する利得可変増幅器である。アップストリーム信号は、ＱＰＳＫの変調信号であり、約＋３５ｄＢｍＶのレベルでリターンパス増幅器３９に入力され、２５〜２６ｄＢの電力増幅が行なわれ、入力端子２１には＋５８ｄＢｍＶ以上の信号が出力される。
【００２４】
図１に示した分配モジュールにおいて、下り信号であるＣＡＴＶ信号は７０〜７７０ＭＨｚの帯域で入力端子２１に入力され、上り信号は５〜５５ＭＨｚの帯域で入力端子２２に入力される。この上り信号はＬＰＦ３８，リターンパス増幅器３９およびＬＰＦ２４を介して入力端子２１からＣＡＴＶ局へ送出されるが、ＨＰＦ２３により後段に出力されることはない。また、入力端子２１に入力されたＣＡＴＶ信号はＬＰＦ２４によって阻止され、リターンパス増幅器３９側に出力されることはない。
【００２５】
入力ＨＰＦ２３を通過したＣＡＴＶ信号は分配器２５で分配され、それぞれの分配出力はＡＧＣ回路２６，２９でレベル調整され、広帯域増幅器２７，３０で増幅され、広帯域増幅器２７の出力は固定減衰器２８でレベルがあるレベルに設定され、出力端子４１からＣＡＴＶ信号として出力される。広帯域増幅器３０の出力が分配器３１でさらに分配され、一方の分配出力が固定減衰器３２でレベルがあるレベルに設定され、出力端子４２からデータ出力として導出される。分配器３１の他方の出力はＢＰＦ３３から広帯域増幅器３４を介して分配器３５でさらに分配され、固定減衰器３６と３７でそれぞれレベル設定された後、出力端子４３からＶＴＲ出力として導出されるとともに、出力端子４０からＦＭ／ＰＣＭチューナ出力として導出される。
【００２６】
したがって、この図１に示した実施形態の分配モジュールからは、デジタルＳＴＢ用信号としてすべての機能が満足され、より効率的な信号が伝送される。また、ビデオストリーム回路およびダウンストリーム回路側のＡＧＣ回路２６，２９により強入力レベルの信号が入力されても所定のレベルに調整され、広帯域増幅器２７，３０が飽和することはない。また、低ＮＦの信号分配が可能となり、ＣＮＲ（Carrier to Noise Ratio）を改善できる。
【００２７】
図２はこの発明の他の実施形態の分配モジュールを示すブロック図である。前述の図１に示した実施形態では、ＣＡＴＶ信号を分配器２５で２分配してビデオストリーム回路とダウンストリーム回路に出力するようにしたが、分配器２５で−３ｄＢ〜−４ｄＢの損失を生じてしまう。
【００２８】
そこで、この図２に示した実施形態では、この損失をなくすために、図１のＡＧＣ回路２６，２９の前段の分配器２５を省略し、ＨＰＦ２３の出力を直接ＡＧＣ回路２９に入力し、ＡＧＣ回路２９の出力を広帯域増幅器３０に与えることにより、損失を少なくするものである。
【００２９】
広帯域増幅器３０の出力側には、２分配の分配器３１を接続し、この分配器３１の出力の一方を広帯域増幅器４６で増幅して出力端子４１にＣＡＴＶ出力として導出し、分配器３１の他方の出力をさらに分配器４５で分配し、その一方の分配出力を広帯域増幅器４７で増幅し、出力端子４２からデータ出力として導出する。分配器４５の他方の出力は図１と同様にしてＢＰＦ３３に出力される。それ以外の構成は図１と同じである。
【００３０】
この実施形態では、図１に示した分配器２５を省略したことによって損失をさらに少なくでき、ＮＦの劣化を少なくできる。
【００３１】
図３はこの発明の一実施形態における分配モジュールを収納するシャーシの外観図であり、図４はシャーシ内の構成を示す図である。
【００３２】
図３および図４において、分配モジュールは、箱型のシールドケース５０内に収納される。シールドケース５０にはシールド蓋５１が装着されており、シールドケース５０内に基板５２が取付けられ、基板５２にはこの発明の分配モジュールを構成するディスクリート挿入部品５３やチップ部品５４などが取付けられている。さらに、基板５２から外部に端子５５，５６，５７が引出されている。これらの端子５５〜５７は電源供給やＡＧＣコントロール信号を供給するために設けられている。さらに、シャーシ５０上には、入力端子２１，ＶＴＲ出力端子４３，Ｆ／ＰＣＭチューナ出力端子４４となるＦ型コネクタが取付けられている。さらに、シャーシ５０の側面からシールド線によってアップストリーム入力端子２２とＣＡＴＶ出力端子４１とレーザ出力端子４２となるＲＣＡプラグが取付けられている。
【００３３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３４】
【発明の効果】
以上のように、この発明によれば、ＣＡＴＶ局からの下り信号が強入力であればレベル調整した後、増幅し、分配手段によりデジタルＳＴＢに必要な分配出力を効率的に低損失で導出することができ、その結果低ＮＦの信号分配が可能となり、ＣＮＲを改善できる。
【図面の簡単な説明】
【図１】  この発明の一実施形態の分配モジュールのブロック図である。
【図２】  この発明の他の実施形態の分配モジュールのブロック図である。
【図３】  この発明の一実施形態の分配モジュールが収納されるシャーシの外観図である。
【図４】  図３に示したシャーシの内部構成を示す図である。
【図５】  従来の分配モジュールを示すブロック図である。
【符号の説明】
２１，２２  入力端子、２３  ＨＰＦ、２４，３８  ＬＰＦ、２５，３１，３５，４５  分配器、２６，２９  ＡＧＣ回路、２７，３０，３４，４６，４７  広帯域増幅器、２８，３２，３６，３７  固定減衰器、３３  ＢＰＦ、３９  リターンパス増幅器、５０  シャーシ、５１  シャーシ蓋。
【図１】
0004071418.tif 000002
【図２】
0004071418.tif 000003
【図３】
0004071418.tif 000004
【図４】
0004071418.tif 000005
【図５】
0004071418.tif 000006